(57)【要約】【課題】外壁に結露が生じにくい断熱構造体、断熱構造体を備えた建物および断熱構造体の製造方法を提供する。【解決手段】建物Ｈは、空間を囲んで部屋を形成する内壁（内板２１、胴差し３０、軒桁４０、断熱材５１、棟木５４）と、内壁（内板２１、胴差し３０、軒桁４０、断熱材５１、棟木５４）よりも外側に配置される外壁（外板２２、屋根材５２）と、内壁（内板２１、胴差し３０、軒桁４０、断熱材５１、棟木５４）と外壁（外板２２、屋根材５２）との間に形成され、内壁（内板２１、胴差し３０、軒桁４０、断熱材５１、棟木５４）内の空間と通じ、空気が通過可能な空気通路（第１空気循環路２００、第２空気循環路２１０）と、外壁（外板２２、屋根材５２）に重ねられる板状の断熱パネル６１と、断熱パネル６１に塗布された塗装層６４と、を備える。【選択図】図１
2019073935.tif 000002
【特許請求の範囲】
【請求項１】
内外壁で構築した建物と、
前記内壁で囲んだ空間は部屋とするとともに、前記内壁と前記外壁との間に形成され、前記空間と通じ、空気が通過可能な空気通路と、
前記外壁に重ねられる板状の断熱パネルと、
前記断熱パネルに塗布された塗装層と、
を備えることを特徴とする断熱構造体。
【請求項２】
前記断熱パネルは、前記外壁の外側の面に重ねられていることを特徴とする請求項１に記載の断熱構造体。
【請求項３】
内外壁で構築した、屋根を備える建物と、
前記内壁で囲んだ空間は部屋とするとともに、前記内壁と前記外壁との間に形成され、前記空間と通じ、空気が通過可能な空気通路と、
前記屋根を形成する前記外壁の頂部に配置される棟カバーと、
複数の前記外壁の頂部同士の間、および／または前記外壁と前記棟カバーとの間に形成され、前記空間と通じ、空気が通過可能な空気通路と、
前記棟カバーに重ねられる板状の断熱パネルと、
前記断熱パネルに塗布された塗装層と、
を備えることを特徴とする断熱構造体。
【請求項４】
前記断熱パネルは、前記棟カバーの外側の面に重ねられていることを特徴とする請求項３に記載の断熱構造体。
【請求項５】
請求項１から４のいずれか一項に記載の断熱構造体を備えることを特徴とする建物。
【請求項６】
内外壁で構築した建物の前記内壁で囲んだ空間は部屋とするとともに、前記内壁と前記外壁との間に形成され、前記空間と通じ、空気が通過可能な空気通路を有する構造体に断熱パネルを取付ける断熱構造体の製造方法であって、
第１板面を有する第１板状部および前記第１板面に対して所定角度で折曲げ形成した第２板面を有する第２板状部を含むＬ字金具を、前記外壁に固定するには、前記Ｌ字金具の前記第１板状部を、前記外壁の外表面に重ね、かつ固定部材により前記Ｌ字金具を前記外壁に固定し、
前記固定したＬ字金具の前記第２板状部に、前記断熱パネルの下端を載置し、
前記第１板状部の下端を基準として、前記第２板状部が前記外壁から遠ざかる方向に延びるように前記Ｌ字金具を配置し、
前記断熱パネルに塗装層を塗布する、
ことを特徴とする断熱構造体の製造方法。
【請求項７】
内外壁で構築した建物の前記内壁で囲んだ空間は部屋とするとともに、前記内壁と前記外壁との間に形成され、前記空間と通じ、空気が通過可能な空気通路を有し、前記建物の屋根を形成する複数の前記外壁同士の間、および／または前記屋根を形成する前記外壁と前記外壁の頂部よりも外側に配置される棟カバーの間に、空気が通過可能な空気通路を有する構造体に断熱パネルを取付ける断熱構造体の製造方法であって、
第１板面を有する第１板状部および前記第１板面に対して所定角度で折曲げ形成した第２板面を有する第２板状部を含むＬ字金具を、前記外壁に固定するには、前記Ｌ字金具の前記第１板状部を、前記外壁の外表面に重ね、かつ固定部材により前記Ｌ字金具を前記外壁に固定し、
前記固定したＬ字金具の前記第２板状部に、前記断熱パネルの下端を載置し、
前記第１板状部の下端を基準として、前記第２板状部が前記棟カバーから遠ざかる方向に延びるように前記Ｌ字金具を配置し、
前記断熱パネルに塗装層を塗布する、
ことを特徴とする断熱構造体の製造方法。
【発明の詳細な説明】
【技術分野】
【０００１】
本発明は、断熱構造体、断熱構造体を備えた建物および断熱構造体の製造方法に関する。
【背景技術】
【０００２】
また、特許文献１には、建物の内側から順に、内壁（外壁と記載）、断熱パネル（外断熱材と記載）、縦胴縁により区画されて空気が通過する空気通路、建物の外壁（外装材と記載）を備える構造体が開示されている。
【先行技術文献】
【特許文献】
【０００３】
【特許文献１】特開２０１３−７２１９０号公報
【発明の概要】
【発明が解決しようとする課題】
【０００４】
特許文献１の構造体では、断熱パネルは、空気通路よりも内側に配置されている。このため、空気通路を流れる空気の温度と、外気温との温度差が大きい場合には、外壁に結露が生じるおそれがある。例えば、空気通路内に冷たい空気が通過しうる夏の場合には、外気が空気通路内の空気に冷やされ、外壁の外表面が結露してカビが発生する可能性がある。また、空気通路内に暖かい空気が通過しうる冬の場合には、空気通路内の空気が外気に冷やされ、外壁の内表面が結露してカビが発生する可能性がある。
【０００５】
本発明は、このような背景に基づいてなされたものであり、外壁に結露が生じにくい断熱構造体、断熱構造体を備えた建物および断熱構造体の製造方法を提供することを目的とする。
【課題を解決するための手段】
【０００６】
上記目的を達成するために、本発明の第１の観点に係る断熱構造体は、
内外壁で構築した建物と、
前記内壁で囲んだ空間は部屋とするとともに、前記内壁と前記外壁との間に形成され、前記空間と通じ、空気が通過可能な空気通路と、
前記外壁に重ねられる板状の断熱パネルと、
前記断熱パネルに塗布された塗装層と、
を備えることを特徴とする。
【０００７】
前記断熱パネルは、前記外壁の外側の面に重ねられていてもよい。
【０００８】
本発明の第２の観点に係る断熱構造体は、
内外壁で構築した、屋根を備える建物と、
前記内壁で囲んだ空間は部屋とするとともに、前記内壁と前記外壁との間に形成され、前記空間と通じ、空気が通過可能な空気通路と、
前記屋根を形成する前記外壁の頂部に配置される棟カバーと、
複数の前記外壁の頂部同士の間、および／または前記外壁と前記棟カバーとの間に形成され、前記空間と通じ、空気が通過可能な空気通路と、
前記棟カバーに重ねられる板状の断熱パネルと、
前記断熱パネルに塗布された塗装層と、
を備えることを特徴とする。
【０００９】
前記断熱パネルは、前記棟カバーの外側の面に重ねられていてもよい。
【００１０】
本発明の第３の観点に係る建物は、
第１の観点又は第２の観点に係る断熱構造体を備えることを特徴とする。
【００１１】
本発明の第４の観点に係る断熱構造体の製造方法は、
内外壁で構築した建物の前記内壁で囲んだ空間は部屋とするとともに、前記内壁と前記外壁との間に形成され、前記空間と通じ、空気が通過可能な空気通路を有する構造体に断熱パネルを取付ける断熱構造体の製造方法であって、
第１板面を有する第１板状部および前記第１板面に対して所定角度で折曲げ形成した第２板面を有する第２板状部を含むＬ字金具を、前記外壁に固定するには、前記Ｌ字金具の前記第１板状部を、前記外壁の外表面に重ね、かつ固定部材により前記Ｌ字金具を前記外壁に固定し、
前記固定したＬ字金具の前記第２板状部に、前記断熱パネルの下端を載置し、
前記第１板状部の下端を基準として、前記第２板状部が前記外壁から遠ざかる方向に延びるように前記Ｌ字金具を配置し、
前記断熱パネルに塗装層を塗布する、
ことを特徴とする。
【００１２】
本発明の第５の観点に係る断熱構造体の製造方法は、
内外壁で構築した建物の前記内壁で囲んだ空間は部屋とするとともに、前記内壁と前記外壁との間に形成され、前記空間と通じ、空気が通過可能な空気通路を有し、前記建物の屋根を形成する複数の前記外壁同士の間、および／または前記屋根を形成する前記外壁と前記外壁の頂部よりも外側に配置される棟カバーの間に、空気が通過可能な空気通路を有する構造体に断熱パネルを取付ける断熱構造体の製造方法であって、
第１板面を有する第１板状部および前記第１板面に対して所定角度で折曲げ形成した第２板面を有する第２板状部を含むＬ字金具を、前記外壁に固定するには、前記Ｌ字金具の前記第１板状部を、前記外壁の外表面に重ね、かつ固定部材により前記Ｌ字金具を前記外壁に固定し、
前記固定したＬ字金具の前記第２板状部に、前記断熱パネルの下端を載置し、
前記第１板状部の下端を基準として、前記第２板状部が前記棟カバーから遠ざかる方向に延びるように前記Ｌ字金具を配置し、
前記断熱パネルに塗装層を塗布する、
ことを特徴とする。
【発明の効果】
【００１３】
本発明によれば、内壁と外壁との間に形成される空気通路よりも外側に断熱パネルが配置される。この断熱パネルの断熱能力により、空気通路の空気から外気への伝熱、又は、外気から空気通路の空気への伝熱が抑制される。この結果、外壁の内外表面に結露が生じにくくなる。
【図面の簡単な説明】
【００１４】
【図１】本発明の一実施の形態に係る建物の模式図である。
【図２】本発明の一実施の形態に係る断熱パネルを備える断熱構造体の一部拡大断面図である。
【図３】本発明の一実施の形態に係る断熱パネルを外壁に取付けた状態を示す一部拡大断面図である。また、図４（Ｂ）の点線Ａの部分の拡大断面図に相当する。
【図４】（Ａ）は、本発明の一実施の形態に係る複数の断熱パネルを外壁に取付けた状態を示す側面図である。（Ｂ）は、（Ａ）のＩ−Ｉ線に沿う断面図である。
【図５】（Ａ）は、比較例に係る空調システムが用いられた建物の２０１７年１月２２日の室外温度と室内温度の関係を示すグラフである。（Ｂ）は、本発明の一実施の形態に係る空調システムと断熱パネルが用いられた建物の２０１７年１月２２日の室外温度と室内温度の関係を示すグラフである。
【図６】（Ａ）は、本発明の変形例１に係る断熱ユニットを外壁に取付けた状態を示す側面図である。（Ｂ）は、（Ａ）のＩＩ−ＩＩ線に沿う断面図である。
【図７】（Ａ）は、本発明の変形例２に係る建物の模式図である。（Ｂ）は、本発明の変形例に係る断熱構造体の正面図である。
【図８】本発明の変形例３に係る建物の模式図である。
【発明を実施するための形態】
【００１５】
以下、本発明に係る断熱構造体１０５を備えた建物Ｈ、断熱構造体１０５の製造方法の実施の形態を、図面を参照しながら詳細に説明する。各図面においては、同一または同等の部分に同一の符号を付す。本実施の形態の建物Ｈは、図１、図２に示される第１空気循環路２００、第２空気循環路２１０、開口５０ａ、隙間２２１と、第１・第２空気循環路２００、２１０、開口５０ａ、隙間２２１の外側に配置される断熱パネル６１と、を備えるという特徴を有する。
【００１６】
建物Ｈは、基礎Ｆと、土台１０と、柱２０と、断熱構造体１０５と、１階の部屋３００と、２階の部屋４００と、１階の天井裏空間３０３と、棟カバー９０と、小屋裏部屋４０３と、軒天７０と、空調システム１と、を備える。これらを以下に順に説明する。
【００１７】
基礎Ｆは、地面上にコンクリートが敷き固められることによって形成され、床下Ｇの空気の通気経路となる孔１１を２カ所に有する。
【００１８】
土台１０は、複数の角材が基礎Ｆに差し渡されて固定されることによって形成され、図示しない水切り、又は換気穴等を有している。また、土台１０には、図１に示すように、１階の床面３０１が固定されている。
【００１９】
柱２０は、複数本あり、土台１０上に立設される。
【００２０】
断熱構造体１０５は、内壁と、外壁と、空気通路と、Ｌ字金具６２と、ビス６３と、断熱パネル６１と、塗装層６４と、を備えている。
【００２１】
内壁は、胴差し３０と、内板２１と、軒桁４０と、断熱材５１と、棟木５４とから構成されている。
【００２２】
胴差し３０は、１階と２階との間に配置される複数の柱２０同士の間に架け渡された横架材である。胴差し３０の下には１階の部屋３００の天井３０２が固定され、胴差し３０の上には２階の部屋４００の床面４０１が固定されている。
【００２３】
内板２１は、木質系ボード等により形成され、複数本の柱２０よりも内側に固定されており、空間を囲むことで、一つ、又は複数の部屋を形成している。
【００２４】
軒桁４０（のきげた）は、各柱２０の上端に架け渡された横架材である。軒桁４０は、軒桁４０から棟木５４に亘って延びて垂木５５Ｂを受け、屋根荷重を柱２０に伝える。なお、軒桁４０の上方には、軒桁４０と平行かつ斜め上方に配置された母屋５５Ａが配置されている。この母屋５５Ａも、垂木５５Ｂを受けている。軒桁４０の下には２階の天井４０２が固定されている。
【００２５】
断熱材５１は、小屋裏部屋４０３の天井の熱を屋根材５２から外に逃がさないようにするために設けられた部材である。断熱材５１は、複数の軒桁４０と母屋５５Ａによって支持された垂木５５Ｂの上に配置されている。断熱材５１の上端は、棟木５４に固定されている。
【００２６】
棟木５４は、母屋５５Ａや軒桁４０と平行に配置され、屋根の一番高い位置に設けられる材木である。
【００２７】
外壁は、外板２２と、屋根材５２とから構成されている。
【００２８】
外板２２は、サイディング等により形成され、内板２１、複数の柱２０及び軒桁４０よりも室外側に固定されている。
【００２９】
屋根材５２は、サイティング等により形成され、断熱材５１よりも室外側に固定される屋根の部材である。屋根材５２は、断熱材５１よりも上方に葺設された瓦等の部材である。また、棟木５４の上方で、複数の屋根材５２の頂部同士の間には、開口５０ａが形成されている。
【００３０】
空気通路は、第１空気循環路２００、第２空気循環路２１０、開口５０ａ、隙間２２１を有する。第１空気循環路２００は、内板２１と外板２２との間に形成され、空気が通過可能な通路である。第２空気循環路２１０は、屋根材５２と断熱材５１との間に形成され、空気が通過可能な通路である。
【００３１】
第１空気循環路２００の上端と第２空気循環路２１０の下端とは繋がっている。第１空気循環路２００の下端は、開口している。第２空気循環路２１０の上端側の開口は、前述した開口５０ａと隙間２２１に繋がっている。第１空気循環路２００、第２空気循環路２１０、隙間２２１内にある空気も、断熱層としても機能する。
【００３２】
Ｌ字金具６２は、図３に示されるように、第１板状部６２Ｘと、第２板状部６２Ｙと、を含む。第１板状部６２Ｘは、断熱パネル６１の主面６１ａと外板２２との間に配置される。第１板状部６２Ｘは、断熱パネル６１と接触する第１板面６２Ｘ１を有する。この第１板面６２Ｘ１は、水平方向を向いている。また、第１板状部６２Ｘは、ビス６３の脚部６３ｂが挿通される挿通孔６２ｋを有する。Ｌ字金具６２の材質は、例えばアルミニウム等である。
【００３３】
第２板状部６２Ｙは、断熱パネル６１の下端を支持する。第２板状部６２Ｙは、断熱パネル６１と接触する第２板面６２Ｙ１を有する。第２板面６２Ｙ１は、鉛直方向を向いている。
【００３４】
第２板面６２Ｙ１は第１板面６２Ｘ１に対して所定角度で傾斜するものとする。本実施の形態では、所定角度は９０°である。ここで、第１板面６２Ｘ１と第２板面６２Ｙ１が交差する線を、図４（Ａ）に示されるように仮想直線Ｊとする。Ｌ字金具６２の仮想直線Ｊの方向の幅は、断熱パネル６１の仮想直線Ｊの方向の幅と略同じに設定されている。
【００３５】
固定部材としてのビス６３は、外板２２にＬ字金具６２を固定する。ビス６３は、頭部６３ａと、頭部６３ａよりも径が小さい脚部６３ｂと、を有する。ビス６３は、脚部６３ｂにネジが切られ、脚部６３ｂの先端が尖っているものをいう。脚部６３ｂは、Ｌ字金具６２の挿通孔６２ｋに挿通された状態で、外板２２に固定される。頭部６３ａは、Ｌ字金具６２に当接している。
【００３６】
断熱パネル６１は、図２及び図３に示されるように、外板２２の外側の外表面２２ａに重ねられる板状の部材である。断熱パネル６１は、外板２２、屋根材５２、棟カバー９０の外表面に設けられる。以下の説明では、断熱パネル６１が外板２２の外表面２２ａに設けられる場合を主に述べていく。
【００３７】
断熱パネル６１としては、例えば、スタイロフォーム（登録商標）が用いられる。スタイロフォーム（登録商標）は、ザ・ダウ・ケミカル・カンパニー／ダウ化工株式会社の商標名であり、正式名称では「押出法ポリスチレンフォーム」である。スタイロフォーム（登録商標）は、完全に独立した無数の空洞を有する発泡体であり、耐水性に優れ、板状で適度な硬さをもっているために加工しやすい。スタイロフォーム（登録商標）は、内部に形成される無数の空洞の中に空気を保有しているので熱伝導率が低い。そのために、スタイロフォーム（登録商標）は断熱性を有する。断熱パネル６１は、所定の厚みを有し、板状に形成される。
【００３８】
塗装層６４は、断熱パネル６１の外表面６１ｃに、モルタルとペンキによって塗装されることにより形成されている。なお、断熱パネル６１の外表面６１ｃが、モルタルのみで塗装される構成であっても、ペンキのみで塗装される構成であっても良い。
【００３９】
なお、外板２２には、元々ビス６３が締められる孔が形成されていない。しかし、外板２２にビス６３が締められることにより、外板２２に孔２２ｋが形成され、ビス６３が孔２２ｋに篏合した状態が生じる。
【００４０】
図１に示す断熱構造体１０５は、図４（Ａ）及び図４（Ｂ）に示されるように、断熱パネル６１、Ｌ字金具６２、およびビス６３を複数備えている。複数の断熱パネル６１は、断熱パネル６１の厚み方向で互いに重ならないように、上下方向に並べられ、また、横方向に並べられる。なお、ここでは、外板２２に対して１つのＬ字金具６２を３つのビス６３により取付け、外板２２と１つのＬ字金具６２に対して１枚の断熱パネル６１を接着剤によって取付ける構成を例示する。
【００４１】
これより、図１に戻って、建物Ｈの残りの構成を説明する。１階の部屋３００は、内板２１と、床面３０１と、天井３０２で囲まれた空間である。
【００４２】
２階の部屋４００は、内板２１と、床面４０１と、天井４０２で囲まれた空間である。
【００４３】
１階の天井裏空間３０３は、１階の部屋３００の天井３０２と２階の部屋４００の床面４０１との間に区画されている。１階の天井裏空間３０３は、１階の天井３０２と２階の床面４０１との間を貫通する開口部３２０と通じている。なお、この開口部３２０は、１階の床面３０１と開口部３２０との間に配置される階段６０と接続されている。
【００４４】
棟カバー９０は、屋根材５２の頂部に配置されている。棟カバー９０は、棟に合わせて屈曲した板状に形成されている。棟カバー９０と屋根材５２との間には、通気経路となる隙間２２１が設けられている。
【００４５】
小屋裏部屋４０３は、２階の部屋４００の天井４０２と断熱材５１との間に形成されている。
【００４６】
軒天７０は、屋根材５２の下端と外板２２の上端とを結ぶ軒の部分の部材である。
【００４７】
間仕切り壁２１１、２１２は、この一例では、１階を２つの部屋３００、３００に仕切る壁である。間仕切り壁２１１と間仕切り壁２１２との間は、所定の間隔が確保されている。この間隔（空間）には、必要により、後述の吸気ダクト及び排気ダクトの２つのダクトから構成されるダクト７０１を接続する。
【００４８】
空調システム１は、第１のファン５００と、第２のファン６００と、ダクト７０１と、第１のガラリ３１０と、第２のガラリ４１０と、制御装置１０００と、室温センサ１０１０と、を備える。
【００４９】
第１のファン５００は、１階の部屋３００の内板２１の開口２１ａに２基配置され、２階の部屋４００の内板２１の開口２１ａに２基配置されている。第２のファン６００は、断熱材５１に２基配置されている。ダクト７０１は、金属、樹脂等の材質で筒状に形成されている。
【００５０】
ダクト７０１の吸気ダクトの端部には、吸気端７０１ａが形成されている。吸気端７０１ａは、床面３０１を貫通し、床下Ｇ（床面３０１と基礎Ｆとの間）まで延びている。ダクト７０１の排気ダクトの端部には、排気端７０１ｂが形成されている。排気端７０１ｂは、１階の天井３０２の図示しない穴を貫通し、１階の天井裏空間３０３まで延びている。
【００５１】
また、前述の間仕切り壁２１１と間仕切り壁２１２の下端空間（一端空間）には、ダクト７０１の吸気ダクトが接続されている。前述の間仕切り壁２１１と間仕切り壁２１２の上端空間（他端空間）には、ダクト７０１の排気ダクトが接続されている。そのため、ダクト７０１の吸気ダクト、間仕切り壁２１１と間仕切り壁２１２との間の空間、およびダクト７０１の排気ダクトは、繋げられている。
【００５２】
第１のガラリ３１０は、１階の部屋３００の天井３０２に設けられている。第２のガラリ４１０は、２階の部屋４００の天井４０２に設けられている。制御装置１０００は、各換気部材（第１のファン５００、第２のファン６００、第１のガラリ３１０、第２のガラリ４１０）の駆動を制御する。室温センサ１０１０は、１階の部屋３００と２階の部屋４００の各々に１つずつ配置されている。
【００５３】
次に、建物Ｈの施工方法の一部となる建物Ｈの施工方法（建物Ｈの製造方法）に関して、図３を参照しつつ以下に説明する。建物Ｈには、内壁と、外壁と、内壁と外壁との間に形成されている空気通路が設けられている。作業者は、第１板状部６２Ｘを建物Ｈの外板２２の外表面２２ａに重ねるように、Ｌ字金具６２を配置する。作業者は、第２板状部６２Ｙが第１板状部６２Ｘの下端６２ａを基準として外板２２から遠ざかる方向に延びるように、Ｌ字金具６２を配置する。作業者は、ビス６３によりＬ字金具６２を外板２２に固定する。
【００５４】
次に、作業者は、断熱パネル６１の主面６１ａが第１板状部６２Ｘに重なるように、断熱パネル６１を外板２２とＬ字金具６２の第１板状部６２Ｘに対して接着剤により固定する。また、作業者は、断熱パネル６１の下端が第２板状部６２Ｙに載置されるように、断熱パネル６１をＬ字金具６２の第２板状部６２Ｙに対して接着剤により固定する。
【００５５】
作業者は、複数の断熱パネル６１を外板２２とＬ字金具６２に接着剤により固定した後に、断熱パネル６１の外表面６１ｃをモルタルとペンキによって塗装して塗装層６４を形成する。
【００５６】
空調システム１の動作に関して、図１を参照しつつ以下に説明する。例えば冬に、１階の部屋３００の空気は、エアコン８００によって暖められる（必要により、冷房有り「冷気」）。同時に、床下Ｇの暖かい空気は、吸気端７０１ａからダクト７０１を通って排気端７０１ｂで排出されて天井裏空間３０３に送風され、第１のガラリ３１０によって１階の部屋３００に送り出される。また、床下Ｇの暖かい空気は、吸気端７０１ａからダクト７０１の吸気ダクトを通り、間仕切り壁２１１と間仕切り壁２１２との間の空間を通り、ダクト７０１の排気ダクトを通って排気端７０１ｂから排出される。そして、この排気端７０１ｂから排出された暖かい空気は、天井裏空間３０３に送風され、第１のガラリ３１０によって１階の部屋３００に送り出される。なお、床下Ｇでは、新しい空気が、図２の矢印Ｋのように孔１１から流入して地熱により暖められている。
【００５７】
１階の部屋３００の暖かい空気は、矢印Ｋ１のように開口部３２０を通過して２階の部屋４００に送り出され、矢印Ｋ２と矢印Ｋ３のように第１のファン５００を通して第１空気循環路２００に送り出される。この第１空気循環路２００の空気は、断熱パネル６１によりカバーされた外板２２で保温されつつ、一部が第１空気循環路２００の下端から排出されていき、一部が第２空気循環路２１０へと向かう。
【００５８】
２階の部屋４００の暖かい空気は、矢印Ｋ４のように第２のガラリ４１０を通過して小屋裏部屋４０３に送り出され、矢印Ｋ５と矢印Ｋ６のように第１のファン５００を通して第１空気循環路２００に送り出される。この第１空気循環路２００の空気は、断熱パネル６１によりカバーされた外板２２で保温されつつ、一部が第１空気循環路２００の下端から排出されていき、一部が第２空気循環路２１０へと向かう。
【００５９】
小屋裏部屋４０３の暖かい空気は、矢印Ｋ７と矢印Ｋ８のように第２のファン６００を通して第２空気循環路２１０に送り込まれる。この第２空気循環路２１０に送り込まれた空気は、断熱パネル６１によりカバーされた屋根材５２で保温されつつ、一部が開口５０ａと隙間２２１を通って建物Ｈの外へ排出されていく。
【００６０】
図５（Ａ）の室外温度グラフＰ１は、２０１７年１月２２日の時間ごとの建物Ｈの外の気温のグラフである。図５（Ａ）の室内温度グラフＱ１は、空調システム１が用いられた建物Ｈにおいて、２０１７年１月２２日の時間ごとの１階の部屋３００の室温のグラフである。
【００６１】
室外温度グラフＰ１に示されるように、０時〜８時の間と１５時〜２４時の間は、室外温度が低い状態で推移し、８時〜１５時の間は、室外温度が高い状態で推移している。このときに、室内温度グラフＱ１に示されるように、０時〜８時の間と１５時〜２４時の間は、室内温度が空調システム１によって高い状態に調節され、８時〜１５時の間は、空調システム１が停止して室内温度が高くなり過ぎないように調節されている。
【００６２】
室内温度グラフＱ１では、室内温度の最低温度Ａ１は１４℃、室内温度の最高温度Ｂ１は１６．５℃となり、最低温度Ａ１と最高温度Ｂ１との温度差Ｌ１は、２．５℃であった。
【００６３】
図５（Ｂ）の室外温度グラフＰ２は、２０１７年１月２２日の時間ごとの建物Ｈの外の気温のグラフである。図５（Ｂ）の室内温度グラフＱ２は、空調システム１と断熱ユニット１００が用いられた建物Ｈにおいて、２０１７年１月２２日の時間ごとの１階の部屋３００の室温のグラフである。
【００６４】
室内温度グラフＱ２に示されるように、室内温度の最低温度Ａ２は１７．５℃、室内温度の最高温度Ｂ２は１９℃となり、最低温度Ａ２と最高温度Ｂ２との温度差Ｌ２は、１．５℃であった。
【００６５】
１階の部屋３００の室内温度の最低温度と最高温度の温度差は、断熱パネル６１が用いられないと図５（Ａ）の室内温度グラフＱ１の温度差Ｌ１＝２．５℃が大きいが、断熱パネル６１が用いられると図５（Ｂ）の室内温度グラフＱ２の温度差Ｌ２＝１．５℃へと小さくすることができる。また、１階の部屋３００の室内温度グラフＱ２は、断熱パネル６１が用いられないと図５（Ａ）のように室内温度が低いが、断熱パネル６１が用いられると図５（Ｂ）のように室内温度が高く維持される。
【００６６】
前述してきた本実施の形態の断熱構造体１０５を備えた建物Ｈ（断熱構造体１０５を含む）によれば、内壁（内板２１、胴差し３０、軒桁４０、断熱材５１、棟木５４）と外壁（外板２２、屋根材５２）との間に空気通路（第１空気循環路２００、第２空気循環路２１０）が形成される。また、外壁（屋根材５２）の頂部と外壁（屋根材５２）の頂部との間に空気通路（開口５０ａ）が形成される。さらに、外壁（屋根材５２）と棟カバー９０との間に空気通路（隙間２２１）が形成される。これらの空気通路（第１空気循環路２００、第２空気循環路２１０、開口５０ａ、隙間２２１）よりも外側に断熱パネル６１が配置されている。この断熱パネル６１の断熱能力により、空気通路（第１空気循環路２００、第２空気循環路２１０、開口５０ａ、隙間２２１）の空気から外気への伝熱、又は、外気から空気通路（第１空気循環路２００、第２空気循環路２１０、開口５０ａ、隙間２２１）の空気への伝熱が抑制される。また、断熱パネル６１に塗装層６４が塗布される。従って、断熱パネル６１の外側に、断熱パネル６１を被覆する外装材が必要ない。これらの結果、外壁（外板２２、屋根材５２）または棟カバー９０に結露が生じ難くでき、外装工事の手間が減らせる。
【００６７】
また、前述してきた本実施の形態の断熱構造体１０５を備えた建物Ｈによれば、塗装層６４の重量は外装材の重量よりも軽量である。断熱パネル６１に外装材を取付けるよりも塗装層６４を塗布する方が、断熱パネル６１にかかる負荷が小さくて済む。
【００６８】
さらに、前述してきた本実施の形態の断熱構造体１０５を備えた建物Ｈによれば、塗装層６４にペンキおよびモルタルが用いられている。このため、塗装層６４が断熱パネル６１に良く接着する。施工が簡便で、かつ経済的である。
【００６９】
また、前述してきた本実施の形態の断熱構造体１０５を備えた建物Ｈによれば、断熱パネル６１は、第１板状部６２Ｘが外壁（外板２２、屋根材５２）に固定されたＬ字金具６２の第２板状部６２Ｙによって支持される。このため、断熱パネル６１を建物Ｈの外壁（外板２２、屋根材５２）又は棟カバー９０に固定して外壁（外板２２、屋根材５２）又は棟カバー９０によって支持させる構成において、断熱パネル６１が下方にズレ落ちる現象が抑制される。
【００７０】
また、前述してきた本実施の形態の構成によれば、断熱パネル６１を外壁（外板２２、屋根材５２）の外表面に設けたことで、外壁（外板２２、屋根材５２）と内壁（内板２１、胴差し３０、軒桁４０、断熱材５１、棟木５４）との間の空気通路（第１空気循環路２００、第２空気循環路２１０）を広く使うことができる。断熱パネル６１を棟カバー９０の外表面に設けたことで、棟カバー９０と内壁（屋根材５２）との間の空気通路（開口５０ａ、隙間２２１）を広く使うことができる。
【００７１】
また、前述してきた本実施の形態の断熱構造体１０５を備えた建物Ｈによれば、建物Ｈの外壁（外板２２、屋根材５２）、棟カバー９０が断熱パネル６１によって覆われることで、外部に音が漏れ難くすることができる。また、建物Ｈの外壁（外板２２、屋根材５２）、棟カバー９０が断熱パネル６１によって覆われることで、外部の騒音が建物Ｈの中に入り難くすることができる。
【００７２】
（変形例１）
図６（Ａ）及び図６（Ｂ）に示すように、変形例１の断熱ユニット２０５は、Ｌ字金具２６２を備える。仮想直線Ｊが延びる方向で、Ｌ字金具２６２の突出した幅（外板２２の面より突出した受け片）は、断熱パネル６１の幅よりも短い。また、３つのＬ字金具２６２が、３つのビス６３によって、外壁（外板２２、屋根材５２）、棟カバー９０に対して取り付けられている。そして、断熱パネル６１が、接着剤によって、３つのＬ字金具２６２に対して取り付けられている。
【００７３】
この変形例１の構成によれば、仮想直線Ｊが延びる方向では、Ｌ字金具２６２の幅は、断熱パネル６１の幅よりも短い。従って、変形例１のＬ字金具２６２の幅は、実施形態のＬ字金具６２の幅よりも短い。このため、Ｌ字金具２６２を用いる方が、Ｌ字金具６２を用いるよりも、材料が少なくて済む。
【００７４】
（変形例２）
図７（Ａ）に示されるように、変形例２の断熱構造体１０５を備えた建物Ｈの断熱ユニット４０５は、開口２１ａを有する。開口２１ａは、第１のファン５００と空気送風方向で対応する内板２１の部分に形成されている。第１のファン５００による送風方向において、第１のファン５００と外板２２を介して対向する断熱パネル４６１の厚みは、第１のファン５００と対向しない断熱パネル６１の厚みよりも厚く設定されている。また、図７（Ｂ）に示されるように、断熱パネル４６１の高さＸ１と幅Ｘ２は、開口２１ａの高さＹ１と幅Ｙ２よりも広く設定されている。また、断熱パネル４６１は、開口２１ａの全域を被覆する。断熱パネル４６１は、断熱パネル６１と同じ材質により形成される。
【００７５】
さらに、消音装置５５０が、建物Ｈの上部に形成される隙間２２１の空気の出口と、第１空気循環路２００の下端の空気の出口と、に対して取り付けられている。
【００７６】
この変形例の断熱構造体１０５を備えた建物Ｈによれば、第１のファン５００に対向する断熱パネル４６１の厚みが他の部分の断熱パネル６１の厚みよりも厚い。そのために、第１のファン５００による送風によって第１のファン５００よりも内側の暖気や冷気が外部に逃げる現象が抑制される。また、消音装置５５０が第１空気循環路２００の下端の空気の出口と隙間２２１の空気の出口に配置されている。そのために、音は、空気通路の中を流れる空気に流され、消音装置５５０に誘導されて消音される。
【００７７】
また、本実施形態では、図１の如く、１階の部屋３００の内板２１よりも内側に配置された、第２のダクト７００と、この第２のダクト７００の一端となる吸気端７００ａと、第２のダクト７００の他端となる排気端７００ｂとを備える。これにより、第２のダクト７００を介して、床下Ｇの冷気を、天井裏空間３０３に導くことが有効である。また、図７の如く、第２のダクト７００に併せて、間仕切り壁２１１、２１２の一端空間と他端空間とに、必要により、ダクト７０１を接続する。これにより、第２のダクト７００と、ダクト７０１とを介して、床下Ｇの冷気を、天井裏空間３０３に導くことが有効である。
【００７８】
（変形例３）
上記図７（Ａ）で示した変形例２では、建物Ｈは、間仕切り壁２１１、２１２に接続されたダクト７０１に加えて、１階の部屋３００の内板２１よりも内側に配置された第２のダクト７００を有している。しかしながら、これに限られない。図８に示すように、建物Ｈは、ダクト７０１を有さずに、第２のダクト７００だけを有していてもよい。
【００７９】
（その他の変形例）
そして、本発明は実施の形態の断熱構造体１０５を備えた建物Ｈ、又は変形例の断熱構造体１０５を備えた建物Ｈに限られず、以下に述べる変形も可能である。上記実施の形態においては、第１板状部６２Ｘは、第１板面６２Ｘ１が水平方向を向いていたが、本発明はこれに限らない。例えば、第１板状部６２Ｘは、第１板面６２Ｘ１が水平方向から所定角度傾斜していてもよい。例えば、外板２２の外表面２２ａが斜めの形状であったり（屋根材５２や棟カバー９０がこれに該当）球の形状である場合に、第１板状部６２Ｘの第１板面６２Ｘ１が斜めに配置されていたり湾曲して形成されていたりしていても良い。
【００８０】
上記実施の形態の断熱構造体１０５を備えた建物Ｈにおいては、第１板状部６２Ｘと第２板状部６２Ｙとは略９０°の角度で交差していたが、本発明はこれに限らない。例えば、第１板状部６２Ｘの第１板面６２Ｘ１と第２板状部６２Ｙの第２板面６２Ｙ１とは９０°未満の角度で交差していてもよい。あるいは、第１板状部６２Ｘの第１板面６２Ｘ１と第２板状部６２Ｙの第２板面６２Ｙ１とは９０°よりも大きい角度で交差していてもよい。
【００８１】
上記実施の形態の断熱構造体１０５を備えた建物Ｈにおいては、固定部材としてビス６３が用いられたが、本発明はこれに限らない。例えば、固定部材として図示しない釘が用いられてもよい。
【００８２】
上記実施の形態の断熱構造体１０５を備えた建物Ｈにおいては、断熱パネル６１としてスタイロフォームが用いられたが、本発明はこれに限らない。例えば、発泡系断熱材として、ウレタンフォーム、フェノールフォーム、ポリスチレンフォーム（いわゆる発泡スチロール）、ＥＰＳ（ビーズ法ポリスチレン）、発泡ゴム（ＦＥＦ）が用いられても良い。または、繊維系断熱材として、グラスウール、ロックウール、セルローズファイバー、炭化コルク、羊毛断熱材が用いられても良い。
【００８３】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００８４】
１        空調システム
１０      土台
１１      孔
２０      柱
２１      内板
２１ａ    開口
２２      外板
２２ａ    外表面
２２ｋ    孔
３０      胴差し
４０      軒桁
５０      屋根
５０ａ    開口
５１      断熱材
５２      屋根材
５３      防水シート
５４      棟木
５５Ａ    母屋
５５Ｂ    垂木
６０      階段
６１      断熱パネル
６１ａ    主面
６１ｃ    外表面
６２      Ｌ字金具
６２ａ    下端
６２ｋ    挿通孔
６２Ｘ    第１板状部
６２Ｘ１  第１板面
６２Ｙ    第２板状部
６２Ｙ１  第２板面
６３      ビス
６３ａ    頭部
６３ｂ    脚部
６４      塗装層
６６      胴縁
６７      接着材
７０      軒天
８０      壁体
９０      棟カバー
１００、２０５    断熱ユニット
１０５    断熱構造体
２００    第１空気循環路
２１０    第２空気循環路
２１１    間仕切り壁
２１２    間仕切り壁
２２０    棟換気部
２２１    隙間
２６２    Ｌ字金具
３００    １階の部屋
３０１    床面
３０２    天井
３０３    天井裏空間
３１０    第１のガラリ
３２０    開口部
４００    ２階の部屋
４０１    床面
４０２    天井
４０３    小屋裏部屋
４０５    断熱ユニット
４１０    第２のガラリ
４６１    断熱パネル
５００    第１のファン
５５０    消音装置
６００    第２のファン
７００    ダクト
７００ａ  吸気端
７００ｂ  排気端
７０１    ダクト
７０１ａ  吸気端
７０１ｂ  排気端
８００    エアコン
１０００  制御装置
１０１０  室温センサ
Ｆ        基礎
Ｇ        床下
Ｈ        建物
Ｊ        仮想直線
Ｍ        領域
【図１】
2019073935.tif 000003
【図２】
2019073935.tif 000004
【図３】
2019073935.tif 000005
【図４】
2019073935.tif 000006
【図５】
2019073935.tif 000007
【図６】
2019073935.tif 000008
【図７】
2019073935.tif 000009
【図８】
2019073935.tif 000010